(57)【要約】【課題】空気調和機において、良好な据付け性を確保しつつ、安価な構成で、室内機の側方の空間でも快適に空調できるようにすること。【解決手段】空気調和機の室内機は、横長の横流型送風ファン３１１と、送風ファン３１１の吹出し風路２９０に設置され左右に回動して風向を左右方向に変更する多数の左右風向板２９５と、吹出し風路２９０に左右風向板２９５より吹出し側に設置され上下に回動して風向を上下方向に変更する上下風向板２９１と、吹出し風路２９０の吹出し口の両端部に風向を側方へ変更する側方風向板２９２とを備える。【選択図】図９
2008157508.tif 000002
【特許請求の範囲】
【請求項１】
横長の横流型送風ファンと、前記送風ファンの吹出し風路に設置され左右に回動して風向を左右方向に変更する多数の左右風向板と、前記吹出し風路に前記左右風向板より吹出し側に設置され上下に回動して風向を上下方向に変更する上下風向板とを室内機に備えた空気調和機において、
前記吹出し風路の吹出し口の両端部に風向を側方へ変更する側方風向板を備えたことを特徴とする空気調和機。
【請求項２】
請求項１において、前記吹出し風路は前記送風ファンの左右両端部より側方に拡大して前記送風ファンより幅広の前記吹出し口に至る側方風路を備え、前記側方風向板は前記側方風路から吹出される風向を側方に変更するように設置されていることを特徴とする空気調和機。
【請求項３】
請求項１において、前記側方風向板を開くときは、側方風向板の中央上下風向板側の端部又は反対側の端部の何れか一方が他端部より大きく外方に突出することを特徴とする空気調和機。
【請求項４】
請求項３において、側方風向時に、前記側方風向板の中央上下風向板側の端部が中央上下風向板に接近する如く移動すると共に、前記側方風向板の他端部が中央上下風向板側の端部より大きく外方に突出することを特徴とする空気調和機。
【請求項５】
請求項３において、中央風向時に、前記側方風向板の中央上下風向板側の端部が他端部より大きく外方に突出すると共に、前記端部が中央上下風向板から離間する如く移動し、風路の側壁より中央寄りに位置することを特徴とする空気調和機。
【請求項６】
請求項３において、前方風向時に、前記側方風向板の中央上下風向板側の端部が他端部より大きく外方に突出すると共に、前記端部が中央上下風向板から離間する如く移動し、風路の側壁より外側に位置することを特徴とする空気調和機。
【請求項７】
請求項３において、前記側方風向板と横流型送風ファンとの間に、前記中央上下風向板の左右端に段違いに連結された側方上下風向板を設けることを特徴とする空気調和機。
【請求項８】
請求項３において、前記側方風向板は、少なくとも台枠と、前記台枠に取付けた迫出しモータと、前記迫出しモータにより前記台枠から迫出される迫出し台と、前記迫出し台に取付けた前記側方風向板の駆動機構とから構成された側方風向板開閉機構により開閉されることを特徴とする空気調和機。
【請求項９】
請求項８において、前記駆動機構は、前記迫出し台に回動自在に固定され、前記迫出し台に搭載された側方風向板駆動モータにより回動される内側回動アーム及び外側回動アームと、前記内側回動アーム及び前記外側回動アームの先端に設けた内側アームピン及び外側アームピンと、前記内側アームピン及び前記外側アームピンに回動自在に取付けた内側レバー及び外側レバーと、前記内側レバー及び前記外側レバー同士を回動自在に連結したレバーピンとを備えて、前記迫出し台と共に５リンク機構を構成し、前記内側レバー及び前記外側レバーに係る前記内側アームピン及び前記外側アームピンと反対側の端部に固定ピンとを有すると共に、一方の固定ピンと回動可能な回動孔と、他方の固定ピンとスライド可能な案内溝とを有する前記側方風向板に結合可能であることを特徴とする空気調和機。
【発明の詳細な説明】
【技術分野】
【０００１】
本発明は、空気調和機に係り、特に調和空気の吹出し方向を変更する風向板を備えた空気調和機に好適なものである。
【背景技術】
【０００２】
空気調和機は、調和空気を室内に吹出すことにより室内を空気調和するものであり、吹出し口には上下風向板、左右風向板を備え、調和空気を使用者が所望する方向に吹出すことができるように種々の工夫を凝らしている。
【０００３】
この種の従来技術として、特開平８−１７８４０７号公報（特許文献１）、特開２００３−１３０３８１号公報（特許文献２）、特開２００１−４１５５７号公報（特許文献３）が知られている。
【０００４】
特許文献１は、室内機の側面に前面吹出し口から連続する側面吹出し口を設け、左右風向板を傾動して側方に気流を吹出す空気調和機について述べている。
【０００５】
特許文献２は、室内機の貫流ファンに隣接して側方吹出しファンを設け、専用吹出し口と、この専用吹出し口の中に横方向風向板を設けた空気調和機について述べている。
【０００６】
特許文献３は、３分割された上下風向板と複数の左右風向板とを備え、複数の左右風向板を外方向に向け、中央の上下風向板の偏向方向を左右の上下風向板の偏向方向よりも水平気味にすることにより、居住者に不快感を与えること無く室内環境を均一に制御可能となる空気調和機の風向制御方法について述べている。
【０００７】
【特許文献１】特開平８−１７８４０７号公報
【特許文献２】特開２００３−１３０３８１号公報
【特許文献３】特開２００１−４１５５７号公報
【発明の開示】
【発明が解決しようとする課題】
【０００８】
従来の一般的な空気調和機は、室内機の中央部に熱交換器をおき、この熱交換器の下部に熱交換器の幅と略等しい長さの横流型送風ファンを配置し、横流型送風ファンからの吹出し気流を横流型送風ファンの長さに略等しい幅を持つ吹出し風路に流し、吹出し風路途中に配した左右風向板で気流の左右方向を偏向し、更に、室内機の吹出し口に配した上下風向板によって気流の上下方向を偏向して室内に吹出している。
【０００９】
ここで、空気調和機は、暖房時には気流を下向きに流して床面近くを主に暖めるようにし、冷房時には気流を水平向きに流して冷風が下に溜らないようにする必要がある。このため、吹出し風路を斜め下向きにし、上下風向板で風向を下向きから水平向きに偏向できるようにしている。
【００１０】
しかし、左右風向板が上下風向板の奥にあるので、気流が左右風向板を過ぎると吹出し風路の側壁に衝突し、前方へ再度偏向され、最終的には側方への大きな偏向角度を得ることができず、室内機の側方の空間を快適に空調できない、という課題があった。特に、室外機への冷媒配管を短縮して据付け性を良好にするために、部屋の長手方向の壁に室内機を据付ける場合や、部屋の隅に室内機を設置する場合には、室内機の側方の多くの空間で快適な空調が得られなくなってしまう、という問題があった。
【００１１】
また、上述した特許文献１では、上下風向板より奥にある左右風向板の他には側方に気流を偏向する手段がないため、側方への気流の偏向が不十分であると共に、側面の開口が前面開口から連続して上下風向板を駆動する機構が室内側に露出しているため、外観が悪く安全性に配慮する必要がある、という課題があった。
【００１２】
上述した特許文献２では、送風構造が複雑で、部品数も多く、組立てコスト、部品コストが高くなる、という課題があった。
【００１３】
上述した特許文献３では、左右風向板が上下風向板の奥にあるので、気流が風向板を過ぎると吹出し風路の側壁に衝突し、前方へ再度偏向され、最終的には側方への大きな偏向角度を得ることができず、室内機の側方の空間を快適に空調できない、という課題があった。
【００１４】
本発明の目的は、良好な据付け性を確保しつつ、安価な構成で、室内機の側方の空間でも快適に空調できる空気調和機を提供することにある。
【課題を解決するための手段】
【００１５】
前述の目的を達成するために、本発明は、横長の横流型送風ファンと、前記送風ファンの吹出し風路に設置され左右に回動して風向を左右方向に変更する多数の左右風向板と、前記吹出し風路に前記左右風向板より吹出し側に設置され上下に回動して風向を上下方向に変更する上下風向板とを室内機に備えた空気調和機において、前記吹出し風路の吹出し口の両端部に風向を側方へ変更する側方風向板を備えたことにある。
【００１６】
係る本発明のより好ましい具体的な構成例は次の通りである。
（１）前記吹出し風路は前記送風ファンの左右両端部より側方に拡大して前記送風ファンより幅広の前記吹出し口に至る側方風路を備え、前記側方風向板は前記側方風路から吹出される風向を側方に変更するように設置されていること。
（２）前記側方風向板を開くときは、側方風向板の中央上下風向板側の端部又は反対側の端部の何れか一方が他端部より大きく外方に突出すること。
（３）側方風向時に、前記側方風向板の中央上下風向板側の端部が中央上下風向板に接近する如く移動すると共に、前記側方風向板の他端部が中央上下風向板側の端部より大きく外方に突出すること。
（４）中央風向時に、前記側方風向板の中央上下風向板側の端部が他端部より大きく外方に突出すると共に、前記端部が中央上下風向板から離間する如く移動し、風路の側壁より中央寄りに位置すること。
（５）前方風向時に、前記側方風向板の中央上下風向板側の端部が他端部より大きく外方に突出すると共に、前記端部が中央上下風向板から離間する如く移動し、風路の側壁より外側に位置すること。
（６）前記側方風向板と横流型送風ファンとの間に、前記中央上下風向板の左右端に段違いに連結された側方上下風向板を設けること。
（７）前記側方風向板は、少なくとも台枠と、前記台枠に取付けた迫出しモータと、前記迫出しモータにより前記台枠から迫出される迫出し台と、前記迫出し台に取付けた前記側方風向板の駆動機構とから構成された側方風向板開閉機構により開閉されること。
（８）前記駆動機構は、前記迫出し台に回動自在に固定され、前記迫出し台に搭載された側方風向板駆動モータにより回動される内側回動アーム及び外側回動アームと、前記内側回動アーム及び前記外側回動アームの先端に設けた内側アームピン及び外側アームピンと、前記内側アームピン及び前記外側アームピンに回動自在に取付けた内側レバー及び外側レバーと、前記内側レバー及び前記外側レバー同士を回動自在に連結したレバーピンとを備えて、前記迫出し台と共に５リンク機構を構成し、前記内側レバー及び前記外側レバーに係る前記内側アームピン及び前記外側アームピンと反対側の端部に固定ピンとを有すると共に、一方の固定ピンと回動可能な回動孔と、他方の固定ピンとスライド可能な案内溝とを有する前記側方風向板に結合可能であること。
【発明の効果】
【００１７】
本発明によれば、良好な据付け性を確保しつつ、安価な構成で、室内機の側方の空間でも快適に空調できる空気調和機を提供することができる。
【発明を実施するための最良の形態】
【００１８】
以下、本発明の一実施例の空気調和機について図を用いて説明する。
【００１９】
まず、本実施例の空気調和機の全体構成を、図１〜図３を用いて説明する。図１は空気調和機の運転停止時の構成図、図２は図１の室内機の内部構成を示す配置図、図３は図１の室内機のＡ−Ａ断面図である。
【００２０】
空気調和機１は、図１に示すように、室内機２と室外機６とを接続配管８で繋いで構成され、室内を空気調和するものである。ドレン配管３７及び換気風路３９は、室内機２から一般的に室外へ引出されて設置される。
【００２１】
室内機２は、図１及び図２に示すように、筐体２１に熱交換器３３、室内送風機３１、換気装置３２、露受皿３５等を取付け、これらを化粧枠２３で覆い、この化粧枠２３の前面に前面パネル２５を取付けた構成になっている。化粧枠２３には、室内空気を吸い込む吸込み口２７と、温湿度が調和された空気を吹出す吹出し口２９とが上下に設けられている。
【００２２】
吸込み空気の可動パネル２５１は、駆動モータを回転させることにより、下端部に設けた回動軸を支点として回動可能に構成されている。この可動パネル２５１は、空気調和機の運転時に前側空気吸込部２３０ｂを開き、前側空気吸込部２３０ｂからも室内空気を室内機内に吸引し、空気調和機の運転停止時には、前側空気吸込部２３０ｂを閉じるように制御される。
【００２３】
前面パネル２５の下部には、運転状況を表示する表示部３９７と、別体のリモコン５からの赤外線の操作信号を受ける受光部３９６とが配置されている。
【００２４】
筐体２１には、図２及び図３に示すように、室内送風機３１、フィルター２３１、熱交換器３３、露受皿３５、上下風向板２９１、左右風向板２９５等の基本的な内部構造体が取付けられている。室内送風機３１は、送風ファン３１１と送風モータ３１３とから構成されている。上下風向板２９１は、主上下風向板２９１ａ（図５参照）と側方部上下風向板２９１ａ’と副上下風向板２９１ｂとから構成されている。筐体２１の内側に取付けられた送風ファン３１１等の基本的な内部構造体は、化粧枠２３を取付けることにより室内機２内に内包される。
【００２５】
フィルター２３１は、熱交換器３３の吸込側を覆うように配置され、吸い込まれた室内空気中に含まれる塵埃を取り除くためのものである。送風ファン３１１は、横長の横流型ファンで構成され、室内空気を吸込み口２７、２３０ｂから吸い込んで吹出し口２９から吹出すように室内機２内の中央に配置されている。熱交換器３３は、略逆Ｖ字状に形成されて送風ファン３１１の吸込側に配置されている。露受皿３５は、熱交換器３３の前後両側の下端部下方に配置され、冷房運転時や除湿運転時に熱交換器３３に発生する凝縮水を受けるために設けられている。受けて集められた凝縮水は、ドレン配管３７を通して室外に排出される。
【００２６】
これらによって、空調される室内空気を流す主風路が形成される。即ち、送風ファン３１１を回転させることで、室内空気は吸込み口２７、２３０ｂから吸い込まれ、フィルター２３１を通過し、熱交換器３３にて熱交換された後、吹出し口２９から室内に吹出される。
【００２７】
化粧枠２３の下面に形成される吹出し口２９は、前面パネル２５の下方に隣接して配置され、吹出し風路２９０により形成されている。吹出し風路２９０は、吹出し風路上壁２９０ａ、吹出し風路下壁２９０ｂ、吹出し風路側壁２９０ｃからなっている。上下風向板２９１、２９１ａ’、２９１ｂは、両端部に設けた回動軸を支点にして、リモコン５からの指示に応じて、駆動モータにより個々に駆動される。そして、上下風向板２９１ａは、空気調和機の運転時には、所要の角度回動して吹出し口２９を開き、その状態を保持すると共に、空気調和機の運転停止時には、図４に示すように吹出し口２９を閉じるように制御され、閉鎖状態で吹出し風路２９０をほぼ隠蔽する。
【００２８】
側方風向板２９２は、風向を側方へ変更するためのものであり、図１に示すように吹出し口２９の両端部に設けられている。この側方風向板２９２は、図５に示すように、底面から前面に至る部分に気流の案内壁となる前側案内板２９２ｃ、下側案内板２９２ｄを備え、室内機２の側方に調和空気を吹出させる場合に、リモコン５からの指示により、図９（ｂ）に示すように外側側方吹出し口２９３ｂを開く。これにより、吹出し風路２９０から外側側方吹出し口２９３ｂに至る側方風路２９６が形成され、吹出し気流の一部が外側側方吹出し口２９３ｂから図９（ｂ）の実線矢印で示すように、室内機２から側方に室内に吹出す。この側方風向板２９２は空気調和機２の運転停止時には、側方吹出し口２９３を閉じるように制御される。
【００２９】
左右風向板２９５は、中央左右風向板２９５ａと端部左右風向板２９５ｂとから構成されている（図８から図１１参照）。中央左右風向板２９５ａは吹出し風路２９０の中央部に設けられ、端部左右風向板２９５ｂは吹出し風路２９０の両端部に設けられ、下端部に設けた回動軸を支点にして、駆動モータにより個々に或いはグループ毎に回動可能に構成され、リモコン５からの指示に応じて回動してその状態を保持し、吹出し空気を左右の所望の方向に吹出させる。なお、リモコン５から指示することにより、空気調和機の運転中に上下風向板２９１、左右風向板２９５等を周期的に揺動させ、室内の広範囲に周期的に吹出し空気を送ることもできる。
【００３０】
側方風向板２９２の上流側に端部左右風向板２９５ｂが設けられ、独立した駆動モータにより駆動される。室内機２の側方に調和空気を吹出させる場合には、リモコン５からの指示により、側方風向板２９２が開くのと連動して、端部左右風向板２９５ｂが側方へ気流を変更するように回動し、吹出し風路側壁２９０ｃの近くを流れる吹出し気流を図９（ｂ）に実線矢印で示すように側方風路２９６に誘導する。これにより、室内機２の側方に調和空気を供給することができる。ここで、端部左右風向板２９５ｂに生ずるコアンダ効果により、吹出し風路２９０内のより中央部の気流も図９（ｂ）に破線矢印で示すように側方風路２９６に偏向され、より多くの気流を側方風路２９６に流すことができる。
【００３１】
そして、室内機２は、運転停止時に、空気吹出し風路２９０、側方風路２９６及び前側空気吸込部２３０ｂを、主上下風向板２９１ａ、側方風向板２９２及び可動パネル２５１で隠蔽してインテリアに調和させている。運転時には上下風向板２９１ａ、２９１ｂ、左右風向板２９５、側方風向板２９２をリモコン５からの指示に応じて回動させる。これと共に、可動パネル２５１を開いて前側空気吸込部２３０ｂ及び上側空気吸込部２３０ａから室内空気を吸込む。吸込んだ室内空気を内部の熱交換器３３で冷風または温風にして空気吹出口２９、側方吹出し口２９３から吹出すことができる。
【００３２】
この空気調和機１を運転する時には、電源を投入してリモコン５を操作し、所望の冷房、除湿、暖房等の運転を行う。
【００３３】
室内機２は内部の電装品ボックスに制御装置１０を備えている。制御装置１０は、室内温度センサー、室内湿度センサー等の各種のセンサーからの信号を受けると共に、リモコン５からの操作信号を受光部３９６で受けることにより、送風モータ３１３、可動パネル駆動モータ、上下風向板駆動モータ、左右風向板駆動モータ、側方風向板駆動モータ等を制御し、且つ、室外機６との通信を司る等、室内機２を統括して制御する。
【００３４】
運転停止時には、室内機２は、図３に示すように、可動パネル２５１、上下風向板２９１及び側方風向板２９２が閉鎖された状態となっている。
【００３５】
この状態で、リモコン５から運転操作の信号が発せられると、制御装置１０は、リモコン５からの操作信号または自動運転が設定されていれば各種センサーからの情報に基づいて、冷房、暖房等の運転モードを決定する。
【００３６】
該決定に基づいて、制御装置１０は、可動パネル２５１及び上下風向板２９１を動作させて、気流の通路を開放状態にする。このとき、吸込み口２３０ｂが開放されるが、室内からの視線は可動パネル２５１で遮られて室内機２の内部までは届かず、インテリアの雰囲気を崩すことは無い。つまり、制御装置１０は、駆動モータを動作させ、上下風向板２９１、左右風向板２９５、側方風向板２９２をリモコン５からの指示に対応した吹出し角度まで回動する。また同時に、制御装置１０は、上下風向板２９１の動作に連動して可動パネル２５１を開く可動パネル駆動モータを動作させ、図３の二点鎖線で示す如く可動パネル２５１を開く。
【００３７】
次いで、制御装置１０は、送風モータ３１３を回転させて上側空気吸込部２３０ａ及び前側空気吸込部２３０ｂから室内空気を吸込み、吸込んだ室内空気を熱交換器３３で温風または冷風あるいは熱交換しないで上下風向板２９１、左右風向板２９５、側方風向板２９２に沿って空気吹出口２９から吹出させるように制御する。空気吹出口２９は、中央部の空気吹出し口とその両側の側方吹出し口２９３とからなっている。
【００３８】
次いで、運転を停止する際には、制御装置１０は、送風モータ３１３を停止させた後に、可動パネル２５１、上下風向板２９１、側方風向板２９２の駆動モータを逆回転させて開の状態から閉の状態に戻すように制御する。
【００３９】
次に、側方風向板開閉機構について図４〜図７を参照しながら説明する。図４は図３の室内機の空気吹出し部拡大図である。図５は図３の室内機の運転時の空気吹出し部拡大図、図６は側方風向板開閉機構の台枠説明図で、（ａ）は平面図、（ｂ）は側面図である。図７（ａ）は図６は側方風向板開閉機構の収納時の側方風向板部の外観正面図、図７（ｂ）は同状態の側方風向板開閉機構説明図である。
【００４０】
主上下風向板２９１ａの横に隣接された側方風向板２９２は、筐体２１に設けられた台枠２６１に取付けられた側方風向板開閉機構２６０により開閉される。
【００４１】
側方風向板開閉機構２６０は、台枠２６１と、台枠２６１に取付けた迫出しモータ２６５と、迫出しモータ２６５により台枠２６１から迫出される迫出し台２７１と、迫出し台２７１に取付けた側方風向板２９２の駆動機構２７０とを備えて構成される。
【００４２】
台枠２６１は、左右に間隔を置いて設けられた支持台２６１ａ、２６１ａ’と、これらを連結する台座２６１ｂとで構成されている。一方の支持台２６１ａには迫出しモータ２６５が取付けられている。迫出しモータ２６５の出力軸には、迫出しギアーＡ２６５ａが嵌装され、支持台２６１ａに回動可能に取付けられた迫出しギアーＢ２６５ｂに噛合する。
【００４３】
迫出しギアーＢ２６５ｂは、迫出し台２７１の迫出しラック２７１ａに噛合し、迫出しモータ２６５の回転を迫出しラック２７１ａに伝達して、迫出し台２７１を移動させる。また、迫出しギアーＢ２６５ｂは、図６に示すように、支持台２６１ａに回動可能に取付けられた迫出しギアーＣ２６５ｃに噛合する。これにより、迫出しギアーＣ２６５ｃと同軸に取付けられた連結棒２６６を介して反対側の支持台２６１ａ’に回動可能に取付けられた迫出しギアーＣ’２６５ｃ’に迫出しモータ２６５の回転が伝えられる。
【００４４】
従って、これと噛合する支持台２６１ａ’に回動可能に取付けられた迫出しギアーＢ’２６５ｂ’が回動し、迫出し台２７１の迫出しラック２７１ａの反対側の迫出しラック２７１ａ’に噛合し、迫出しモータ２６５の回転を迫出しラック２７１ａ’に伝達して、迫出しギアーＢ２６５ｂと協働して迫出し台２７１を移動させる。支持台２６１ａ、２６１ａ’には長穴を設け、迫出しガイド２６１ｃ、２６１ｃ’とし、迫出し台２７１の両側面に設けた迫出しガイドピン２７１ｂ、２７１ｂ’を遊嵌している。
【００４５】
迫出し台２７１は、左右両側部の下端面に迫出しギアーＢ２６５ｂ、迫出しギアーＢ’２６５ｂ’に噛合する迫出しラック２７１ａ、２７１ａ’を備え、その外側側面に迫出しガイドピン２７１ｂ、２７１ｂ’を備えている。また、迫出し台２７１には側方風向板２９２とその駆動機構２７０とが取付けられている。これにより、迫出しモータ２６５を駆動して、側方風向板２９２を迫出し台２７１と一緒に室内機２の内部から突出させたり、収納させたりすることができる。なお、本実施例では、迫出し台２７１の移動方向は室内機２の横流型送風ファン３１１の吹出し風路下壁２９０ｂに略平行に前方斜め下方向とし、横方向への移動は無いものとしている。
【００４６】
側方風向板駆動機構２７０は、迫出し台２７１に回動自在に固定され、迫出し台２７１に搭載された側方風向板２９２を駆動する駆動モータ２７４により回動される内側ギアー２７６及び外側ギアー２７８と、内外ギアー２７６、２７８の先端に設けた内側ピン２７６ａ及び外側ピン２７８ａと、内外ピン２７６ａ、２７８ａに回動自在に取付けた内側レバー２８１及び外側レバー２８３と、内外レバー２８１、２８３同士を回動自在に連結したレバーピン２８５とを備えている。側方風向板駆動機構２７０は、迫出し台２７１と共に５リンク機構を構成し、内外レバー２８１、２８３のレバーピン２８５に関して内外ピン２７６ａ、２７８ａと反対側の端部にスライドピン２８２、固定ピン２８４を有すると共に、固定ピン２８４と回動可能な回動孔２９２ｂと、スライドピン２８２とスライド可能なスライド溝２９２ａとを有する側方風向板２９２に結合可能としている。
【００４７】
迫出し台２７１の中央背部に駆動モータ２７４を固定し、迫出し台２７１を貫通する出力軸に駆動ギアー２７４ａを嵌装する。駆動ギアー２７４ａは迫出し台２７１に回動軸２７６ｂ、２７８ｂで回動自在に軸支され、同一の歯形と同一の径を有する内側ギアー２７６と外側ギアー２７８に噛合する。
【００４８】
内側ギアー２７６、外側ギアー２７８には、その適切な位置に、内側ピン２７６ａ、外側ピン２７８ａが設けられている。これらの内側ピン２７６ａ、外側ピン２７８ａには、内側レバー２８１、外側レバー２８３が回動自在に取付けられる。内側レバー２８１、外側レバー２８３は、その中央部の適切な位置をレバーピン２８５で、内側レバー２８１、外側レバー２８３同士を回動自在に連結している。
【００４９】
駆動モータ２７４を回転させることにより、駆動ギアー２７４ａを介して、内側ギアー２７６、外側ギアー２７８が回転し、内側ピン２７６ａ、外側ピン２７８ａの位置が回動軸２７６ｂ、２７８ｂを中心として同一方向に同一速度で同一角度だけ移動する。
【００５０】
ここで、機構的に見ると、駆動ギアー２７４ａ、内側ギアー２７６、外側ギアー２７８は、内側ピン２７６ａ、外側ピン２７８ａの位置を回動軸２７６ｂ、２７８ｂを中心として同一方向に同一角速度で同一角度だけ移動させる２本の回動アームとみなして支障は無い。このため、以下のリンク機構の説明に当たっては、内側ギアー２７６を内側回動アーム２７６、外側ギアー２７８を外側回動アーム２７８と言うこととする。
【００５１】
このように、迫出し台２７１に設けた内外回動アーム２７６、２７８の回動軸２７６ｂ、２７８ｂと、内外ピン２７６ａ、２７８ａと、レバーピン２８５とを連結点とした５リンク機構が形成される。更に、このリンク機構の駆動条件として、内外回動アーム２７６、２７８が同一の駆動ギアー２７４ａに噛合することから、内外回動アーム２７６、２７８が同一方向に、同一角速度で、同一角度だけ回転すると言う条件が付加される。
【００５２】
内外レバー２８１、２８３の自由端にはスライドピン２８２、固定ピン２８４が設けられ、各々、側方風向板２９２のスライド溝２９２ａ、回動孔２９２ｂと結合している。なお、本実施例では室内機２の右側の側方風向板開閉機構２６０を例にとって説明したが、左側の側方風向板開閉機構の場合は、構成を左右反転させることにより、同様の動作を実現できることは言うまでも無い。引き続き右側の側方風向板開閉機構２６０を例にとって説明する。
【００５３】
次に、側方に風向を偏向する場合の動作について、図４、図５、図７〜９、図１２〜１４、図１９を用いて説明する。図８は側方風向板収納時、及び、迫出し時の風向板状態図である。図９は側方風向時の風向板状態図である。図１２（ａ）は迫出し時の側方風向板部の外観正面図、図１２（ｂ）は同状態の側方風向板開閉機構説明図である。図１３（ａ）は側方向け傾斜動作時の側方風向板部の外観正面図、図１３（ｂ）は同状態の側方風向板開閉機構説明図である。図１４（ａ）は側方向け風向時の側方風向板部の外観正面図、図１４（ｂ）は同状態の側方風向板開閉機構説明図である。図１９は側方風向板の収納時、及び、側方風向時の側方風向板開閉機構リンク部の模式図である。
【００５４】
運転停止時は、側方風向板２９２が閉じており、迫出し台２７１が図４のように室内機２の内部に引き込まれて収納されている。また、側方風向板２９２も同様に室内機２の外殻と同一面まで引き込まれ、凹凸の少ない状態に保持されている。この状態の外観は図７（ａ）の如くである。
【００５５】
このときの側方風向板開閉機構２７０の状態は、図７（ｂ）に示すように側方風向板２９２が迫出し台２７１の迫出し方向に対して直角に、室内機２の横方向に対して平行に保持されている。従って、側方風向板２９２は、室内機２の外殻と一体となって、違和感の無い外観を形成する。このときの側方風向板２９２の状態を模式的に示すと、図８（ａ）のように、側方風向板２９２は室内機２の外殻と同じ位置まで引き込まれて側方風路２９６を閉じ、気流が側方に流れることは無い。
【００５６】
側方風向板２９２を開くときには、先ず、迫出しモータ２６５を駆動し、迫出し台２７１を前述のように迫出させる。
【００５７】
このとき、側方風向板２９２も一緒に室内機２の外殻から図５に示すように突出する。この状態の外観は、図１２（ａ）の如くであり、側方風向板２９２が大きく飛び出し、側方風向板２９２が作動状態であることを明確に表す。この状態の側方風向板開閉機構２７０は、図１２（ｂ）に示すように、側方風向板駆動機構２７０が未駆動で、迫出し台２７１が側方風向板２９２及び側方風向板駆動機構２７０を載せたまま台枠２６１上を移動する。このように移動することにより、側方風向板２９２は室内機２の外殻に衝突することなく、左右に傾斜して移動することができるようになる。
【００５８】
このときの側方風向板開閉機構リンク部を模式的に示すと、図１９（ａ）のように表され、側方風向板２９２は迫出し台２７１と平行になっている。また、このときの風向板の状態を模式的に示すと、図８（ｂ）のように、側方風向板２９２は室内機２の外殻から離れ、側方風路２９６が開放され、側方風路２９６に気流が流通可能になる。
【００５９】
次いで、側方風向板駆動機構２７０を駆動して、側方風向板２９２を傾斜させる。即ち、側方風向板駆動機構２７０が前述のように構成されているので、図１２（ｂ）の状態で駆動モータ２７４を左回転させることにより、内側回動アーム２７６、外側回動アーム２７８が右回転する。この回転にリンクして、内側レバー２８１、外側レバー２８３がレバーピン２８５の周りで若干閉じるように動いて、その自由端に設けたスライドピン２８２、固定ピン２８４の位置を変化させる。
【００６０】
これによって、図１３（ｂ）のように、スライドピン２８２の位置は大きく前進し且つ内側に寄り、固定ピン２８４の位置は少し前進し且つ内側に寄る。  スライドピン２８２、固定ピン２８４の位置変化に応じて、該部に結合されている側方風向板２９２の回動孔２９２ｂ周りに側方風向板２９２が回動し、スライドピン２８２がスライド溝２９２ａ内の所定位置に移動する。これにより、側方風向板２９２は内側の端部が室内機２の中心寄りに移動すると共に、外側端部が大きく前進し、側方に風向を偏向する如く傾斜する。
【００６１】
このときの側方風向板開閉機構リンク部を模式的に示すと、図１９（ｂ）の実線のように表され、側方風向板２９２は点線で示した迫出し台２７１と平行な状態から傾斜した状態に変化している。
【００６２】
また、この状態の外観は図１３（ａ）の如くであり、側方風向板２９２が傾斜して大きく飛び出し、側方風向板２９２が作動状態であることを明確に表す。また、このときの風向板の状態を模式的に示すと、図９（ａ）のように、側方風向板２９２は室内機２の外殻から離れ、外側が大きく開いた状態になり、側方風路２９６からの気流が偏向できるようになる。
【００６３】
なお、迫出し台２７１に搭載された各部の移動の方向を表すとき、迫出し台２７１に対する相対位置の変化で表し、室内機２の横方向の中心部側を内側、室内機２の横方向端部側を外側と言う。更に、迫出し台２７１の迫出し方向に変化するのを前進と言い、反迫出し方向に変化するのを後退と言う。
【００６４】
次いで、側方風向板２９２の傾斜を保ったまま、迫出しモータ２６５を逆転させて図１４（ｂ）に示すように、迫出し台２７１を室内機２の内部に引込む。このとき、側方風向板２９２の内側端部が主上下風向板２９１ａに接触しないように制御するのが良い。これにより、側方風向板２９２は内側の開きが小さく、外側の開きが大きい、風向の側方偏向に適した開き方になり、側方に所要の気流を流すことができる。また、側方風向板２９２の内側端部が主上下風向板２９１ａに接近する如く移動するので、室内機２の中央部を流れる主気流を一部側方風向板２９２で捉える。このため、側方に偏向する気流を増加させることができる。
【００６５】
この状態の外観は図１４（ａ）の如くであり、空気調和機１を運転して、気流を側方に偏向している状態が明確に判り、且つ、側方風向板２９２の突出を最小限にして、室内の雰囲気を乱さないようにしている。また、このときの風向板の状態を模式的に示すと、図９（ｂ）のように、側方風向板２９２は室内機２の外殻に接近し、且つ、外側が大きく開いた状態になり、側方風路２９６からの気流がスムーズに側方に偏向できるようになる。
【００６６】
なお、側方に風向を偏向するときには、側方風向板２９２を図１４のように側方偏向の位置にすると共に、端部左右風向板２９５ｂを図９（ｂ）のように、側方吹出し口２９３方向に傾斜させる。これにより、端部左右風向板２９５ｂの近辺を流れる気流が側方風向板２９２の方向に誘導され、側方に偏向する気流を増加させることができる。
【００６７】
次に、室内機２の風向を中央に集中させる場合の側方風向板２９２の動作について、図１０（ａ）、図１２、図１５、図１６、図２０を用いて説明する。図１０（ａ）は中央集中風向時の風向板状態図である。図１５（ａ）は中央向け傾斜動作時の側方風向板部の外観正面図、図１５（ｂ）は同状態の側方風向板開閉機構説明図である。図１６（ａ）は中央向け風向時の側方風向板部の外観正面図、図１６（ｂ）は同状態の側方風向板開閉機構説明図である。図２０は側方風向板の収納時、及び、中央集中風向時の側方風向板開閉機構リンク部の模式図である。
【００６８】
側方風向板２９２が閉じた状態から風向を中央に集中させる場合の動作において、側方風向板２９２を平行を保ったまま室内機２から突出させ、図８（ｂ）、図１２の状態にするまでは、前述の側方に風向を偏向する場合の動作と同じであるので説明を省略する。以下、図８（ｂ）、図１２の状態からの動作を説明する。図２０（ａ）は図１２の状態を示し、前述の図１９（ａ）と同じである。
【００６９】
側方風向板駆動機構２７０を駆動して、側方風向板２９２を傾斜させる。側方風向板駆動機構２７０が前述のように構成されているので、図１２（ｂ）の状態で駆動モータ２７４を右回転させることにより、内側回動アーム２７６、外側回動アーム２７８が左回転する。この回転にリンクして内側レバー２８１、外側レバー２８３がレバーピン２８５の周りで若干閉じるように動いて、その自由端に設けたスライドピン２８２、固定ピン２８４の位置を変化させる。
【００７０】
これによって、図１５（ｂ）のように、スライドピン２８２の位置は後退し且つ外側に寄り、固定ピン２８４の位置は前進し且つ外側に寄る。ここで、スライドピン２８２の位置は後退し且つ外側に寄るが、迫出し台２７１及び側方風向板２９２が前進しているので、側方風向板２９２の外側端部が室内機２の外殻に衝突することは無い。
【００７１】
スライドピン２８２、固定ピン２８４の位置変化に応じて、該部に結合されている側方風向板２９２の回動孔２９２ｂ周りに側方風向板２９２が回動し、スライドピン２８２がスライド溝２９２ａ内の所定位置に移動する。これにより、側方風向板２９２は内側の端部が前進すると共に、外側端部が後退し且つ外側に寄って、側方風路２９６に漏れ出る気流を室内機２の中央部に偏向する如く傾斜する。
【００７２】
この状態を室内機２の正面から見ると図１５（ａ）の如くであり、側方風向板２９２が傾斜して大きく飛び出し、側方風向板２９２が作動状態であることを明確に表す。
【００７３】
次いで、側方風向板２９２の傾斜を保ったまま、迫出しモータ２６５を逆転させて図１６（ｂ）に示すように、迫出し台２７１を室内機２の内部に引込む。このとき、側方風向板２９２の外側端部が室内機２の外殻に接触しないように制御するのが良い。これにより、側方風向板２９２は内側の開きが大きく、外側の開きが小さい、風向の中央集中に適した開き方になり、側方風路２９６に拡散してきた気流を室内機２の中央方向に戻し、気流を中央に集中することができる。
【００７４】
また、側方風向板２９２の外側端部が室内機２の外側方向に移動するので、側方風路２９６に流れる気流の大部分を捉えることができる。捉えられた気流は側方風向板２９２の傾斜に沿って室内機２の中央方向に流れ、前進して外側に寄り、大きく開いた内側側方吹出し口２９３ａから室内機２の中央方向に吹出す。
【００７５】
このときの側方風向板開閉機構リンク部を模式的に示すと図２０（ｂ）の実線のように表され、側方風向板２９２は点線で示した迫出し台２７１と平行な状態から傾斜した状態に変化している。
【００７６】
また、この状態の外観は図１６（ａ）の如くであり、空気調和機１を運転して気流を中央に集中している状態が明確に判り、且つ、側方風向板２９２の突出を最小限にして室内の雰囲気を乱さないようにしている。また、このときの側方風向板２９２の状態を模式的に示すと、図１０（ａ）のように、側方風向板２９２は室内機２の外殻に接近し且つ内側が大きく開いた状態になり、側方風路２９６からの気流がスムーズに中央に偏向できるようになる。
【００７７】
次に、吹出し風路２９０の通風抵抗を最小な状態にして、最大の風量での運転、低騒音での運転、または、消費電力を小さくする省エネ運転をする場合の側方風向板２９２の動作について、図１０（ｂ）、図１２、図１７、図１８、図２１を用いて説明する。図１０（ｂ）は最小抵抗時の風向板状態図である。図１７（ａ）は気流外退避動作時の側方風向板部の外観正面図、図１７（ｂ）は同状態の側方風向板開閉機構説明図である。図１８（ａ）は気流外退避時の側方風向板部の外観正面図、図１８（ｂ）は同状態の側方風向板開閉機構説明図である。図２１は側方風向板の中央集中風向時及び気流外退避時の側方風向板開閉機構リンク部の模式図である。
【００７８】
側方風向板２９２が閉じた状態から吹出し風路２９０の通風抵抗を最小な状態にする場合の動作において、迫出し台２７１を迫出した状態で側方風向板２９２を室内機２の中央に向くように傾斜させ、図１５の状態にするまでは、前述の風向を室内機２の中央に集中させる場合と同じであるので説明を省略する。以下、図１５の状態からの動作を説明する。図２１（ａ）は図１５の状態を示し図２０（ｂ）と同じである。
【００７９】
図１５（ｂ）の状態で、更に駆動モータ２７４を右回転させることにより、内側回動アーム２７６、外側回動アーム２７８が更に左回転する。この回転にリンクして内側レバー２８１、外側レバー２８３がレバーピン２８５の周りで更に閉じるように動いて、その自由端に設けたスライドピン２８２、固定ピン２８４の位置を更に変化させる。スライドピン２８２の位置は更に後退し且つ更に外側に寄り、固定ピン２８４の位置は更に前進し且つ更に外側に寄る。
【００８０】
スライドピン２８２、固定ピン２８４の位置変化に応じて、該部に結合されている側方風向板２９２の回動孔２９２ｂ周りに側方風向板２９２が回動し、スライドピン２８２がスライド溝２９２ａ内の所定位置に移動する。これにより、側方風向板２９２は内側の端部が更に前進すると共に、外側端部が更に後退し且つ更に外側に寄って、横流型送風ファン３１１の気流の外に退避する如く、横流型送風ファン３１１の軸方向の翼端３１１ａよりも外側に出る。
【００８１】
この状態を室内機２の正面から見ると図１７（ａ）の如くであり、側方風向板２９２が傾斜して更に大きく飛び出し、側方風向板２９２が作動状態であることを明確に表す。
【００８２】
次いで、側方風向板２９２の傾斜を大きく保ったまま、迫出しモータ２６５を逆転させて図１８（ｂ）に示すように、迫出し台２７１を室内機２の内部に引込む。このとき、側方風向板２９２の外側端部が室内機２の外殻に接触しないように制御するのが良い。これにより、側方風向板２９２は内側端部が横流型送風ファン３１１の軸方向の翼端よりも外側に出て、横流型送風ファン３１１の気流の外に退避した状態になる。
【００８３】
これによって、側方風路２９６に漏れ出る気流の大半は側方風向板２９２の影響を受けること無しに室内に吹出され、側方風向板２９２による通風抵抗の増加は最小限のものとなる。このときの側方風向板開閉機構リンク部を模式的に示すと、図２１（ｂ）の実線のように表され、側方風向板２９２は点線で示した中央集中風向時の状態から大きく傾斜した状態に変化している。
【００８４】
また、この状態の外観は図１８（ａ）の如くであり、空気調和機１を運転して、側方風向板２９２を気流の外に退避させ、側方風向板２９２による通風抵抗を最小にしている状態が明確に判り、且つ、側方風向板２９２の突出を最小限にして、室内の雰囲気を乱さないようにしている。また、このときの風向板の状態を模式的に示すと、図１０（ｂ）のように、側方風向板２９２は横流型送風ファン３１１の軸方向の翼端３１１ａよりも外側に出て、横流型送風ファン３１１の気流の外に退避した状態になり、側方風向板２９２による通風抵抗の増加が最小限になる。
【００８５】
次に、側方に風向を偏向する場合の変形例について図１１を用いて説明する。図１１は片側方風向時の風向板状態図である。
【００８６】
図１１（ａ）は室内機２の右方向のみを空気調和したいときの風向板状態図であり、右側の側方風向板２９２を側方風向の位置にする。更に、左側の側方風向板２９２を中央集中吹出しの位置にし、左右風向板２９５を全体の風向が右側になるように傾ける。このようにすることにより、室内機２の右側部分を選択的に空気調和することができる。
【００８７】
図１１（ｂ）は室内機２の中央部と右方向を空気調和したいときの風向板状態図であり、右側の側方風向板２９２を側方風向の位置にする。更に、左側の側方風向板２９２を最小抵抗の位置にし、左右風向板２９５の右半分を風向が右側になるように傾け、左半分は前方に向ける。このようにすることにより、室内機２の前方中央部と右側部分を選択的に空気調和することができる。
【００８８】
図１１（ｃ）は室内機２に近い中央部と右方向の狭い領域を少ない風量で空気調和したいときの風向板状態図であり、右側の側方風向板２９２を側方風向の位置にする。更に、左側の側方風向板２９２を閉鎖の位置にし、端部左右風向板２９５ｂを側方風向板２９２の方向に傾け、他の左右風向板２９５は前方に向ける。このようにすることにより、室内機２に近い前方中央部と右側部分の狭い領域を選択的に小風量で空気調和することができる。
【００８９】
本実施例によれば、横長の横流型送風ファン３１１と、該送風ファン３１１の吹出し風路２９０に順に設けた左右風向板２９５と、上下風向板２９１とを備えた分離型空気調和機の室内機において、上下風向板２９１の横方向端部と室内機２の横方向端部との間に、該送風ファン３１１の軸方向の翼端を跨ぐように側方風向板２９２を設け、該側方風向板２９２の横方向の両端部を突出させて、側方風路２９６を開閉する。また、横長の横流型送風ファン３１１と、該送風ファン３１１の吹出し風路２９０に順に設けた左右風向板２９５と、上下風向板２９１とを備えた分離型空気調和機の室内機２において、吹出し口の中央部に中央上下風向板２９１を設け、中央上下風向板２９１の右方及び／又は左方に、該送風ファン３１１の軸方向の翼端を跨ぐように側方風向板２９２を設け、該側方風向板２９２の横方向の両端部を突出させて、側方風路２９６を開閉する。
【００９０】
かかる構成により、横流型送風ファン３１１の軸方向端部からの気流を捉え、側方に偏向することができるので、側方に十分な量の気流を偏向できる。また、風路の先端の、外筺と同一の面に設けた側方風向板２９２で風向を変更するので、横流型送風ファン３１１の軸方向端部の風を風路の側壁に邪魔されること無く、効果的に、従来より大きい角度に左右方向に偏向でき、風を向けることのできない風向の死角が大幅に減少する。
【００９１】
このように、室内機２からの横方向の風向偏向の可能域が広がり、室内空調の死角を狭くすることができ、室内のほぼ全域に調和空気の供給が可能となるので、部屋の隅に据付けても、室内空調の死角が狭く、ほぼ真横方向に気流を偏向できるので居住領域の空調が有効に行える。
【００９２】
また、室内機２の据付位置の選択幅が広く、制約が少ないので、室内機２を使用者の快適性や美観に配慮して、適正な位置に据付けることができる。このため、室内のどこにいても快適な空調を享受でき、また、室内機２を適正な位置に据付けることができる空気調和機を得ることができる。
【００９３】
なお、風向の死角が少なくなるため、従来は死角となっている部分を快適にするため、ともすれば暖房時は温度を高めに設定し、冷房時は温度を低めに設定する等して過剰な空調を行ない勝ちになっていたのが、適性な空調になるため、暖め過ぎ、冷やし過ぎが無くなり省エネに貢献する。また、左右いずれかの一方の横流型送風ファン３１１の軸方向の翼端を跨ぐように側方風向板２９２を設けた場合も、設けた側の片側のみに限定されるが、同様の効果が生ずる。
【００９４】
また、本実施例では、側方風向板２９２の中央上下風向板２９１寄りの部分に中央左右風向板２９５ａを備える。これにより、大部分の気流が通過する中央部の左右風向板２９５ａでの偏向により形成された偏向気流が、側方風向板２９２によるコアンダ効果でより大きく偏向されて室内に吹出す。このように、側方風向板２９２での真横方向への偏向風に加えて吹出し口中央部からの気流の主流が横方向に大きく偏向して吹出し、従来風向の死角領域であった室内機２の真横下の領域も多量の気流で十分に空気調和できる。このため、従来風向の死角領域であった部分も、快適にすることができる空気調和機を得ることができる。
【００９５】
また、本実施例では、側方風向板２９２を、端部左右風向板２９５ｂより下流側に設置している。また、側方風向時に、側方に偏向する気流の流路上で側方風向板２９２と横流型送風ファン３１１との間に少なくとも１枚の端部左右風向板２９５ｂを備える。また、側方風向時に、端部左右風向板２９５ｂを横流送風ファン３１１の軸に垂直な方向から透視した時に該端部左右風向板２９５ｂの少なくとも一部が側方風向板２９２と重なる。
【００９６】
これにより、側方に気流を偏向するため側方風向板２９２が開いているときに、吹出し風路２９０を斜め下向き前方方向に流れてきた横流型送風ファン３１１の軸方向端部からの気流が左右端の端部左右風向板２９５ｂに偏向されて、側方風向板２９２に導かれ、側方風向板２９２から室内機２の側方に、斜め下向きに吹出す。
【００９７】
このように、端部左右風向板２９５ｂを吹出し風路２９０壁近くを流れる気流中に置くことにより、端部左右風向板２９５ｂの衝突面で気流を軸方向外側に偏向させると共に、その背面側に生ずる負圧によって、より中央側の気流をも偏向させて側方風向板２９２に誘導する。このため、横流型送風ファン３１１の軸方向端部からの気流を予め、端部左右風向板２９５ｂで横方向外側に偏向し、偏向した気流を側方風向板２９２に流すことで側方への偏向を確実にする空気調和機を得ることができる。
【００９８】
また、本実施例では、端部左右風向板２９５ｂを中央上下風向板２９１の上流部の左又は／及び右に設けている。
【００９９】
これにより、側方に気流を偏向するため側方風向板２９２が開いているときに、吹出し風路２９０を斜め下向き前方方向に流れてきた横流型送風ファン３１１の軸方向端部からの気流が端部左右風向板２９５ｂにより偏向されて、側方風向板２９２に導かれ、側方風向板２９２から室内機２の側方、斜め下向きに吹出す。
【０１００】
このため、横流ファンからの気流を確実に側方に偏向して吹出すことができ、従来死角領域であった部分の空気調和を実現できる。また、室内を広範囲に亘って同時に空気調和することもできる空気調和機を得ることができる。
【０１０１】
また、本実施例では、側方風向板２９２を開くときは、空気調和機の運転停止時の外形線より外方に、該側方風向板２９２が突出するように構成している。
【０１０２】
これにより、側方に気流を偏向するときに、気流が室内機２内の側方風路２９６と室内機２の外形から飛び出した側方風向板２９２との間の広くなった風路を流れるので、風路の抵抗が少なく、騒音の上昇、風量の減少が少ない。また、気流が室内機２の外形から飛び出した側方風向板２９２で偏向されるので、室内機２の外形の影響をほとんど受けることなしに気流を偏向でき、ほぼ真横方向に吹出すことができる。また、空気調和機の運転停止のときには側方風向板２９２は室内機２の外形内に収まる。
【０１０３】
このため、室内機２からの調和空気の吹出し角度を大きく左右に偏向でき、且つ、停止時の室内の雰囲気を乱すことがない空気調和機を得ることができる。
【０１０４】
また、本実施例では、側方風向板２９２が少なくとも底面から前面に至る部分に気流の案内壁を備える。また、側方風向板２９２を閉じるときは、該側方風向板２９２の突出を解除し、側方風路２９６をほぼ隠蔽する。
【０１０５】
これにより、側方に気流を偏向するため側方風向板２９２が開いているときは、吹出し風路２９０から側方風向板２９２に導かれた気流は、側方風向板２９２の前側案内板２９２ｃ、下側案内板２９２ｄで偏向されて、室内機２の側方、斜め下向きに吹出す。このとき、側方風路２９６の内部は前側案内板２９２ｃ、下側案内板２９２ｄで隠されて、内部があからさまに見えることは無い。
【０１０６】
また、側方風向板２９２が閉じているときは、前側案内板２９２ｃ、下側案内板２９２ｄが室内機２の前面及び底面に連続した外表面を形成し、側方吹出し風路２９０を遮蔽する。このように、側方風向板２９２で風向を真横方向へ偏向するのに加えて気流を側方吹出し中も、閉じた時も、側方吹出し風路２９０を前側案内板２９２ｃ、下側案内板２９２ｄで隠蔽し、室内機２の外観が向上する。
【０１０７】
このため、室内機２の運転、停止にかかわらず、室内の雰囲気に調和したデザインとなる空気調和機を得ることができる。
【０１０８】
また、本実施例では、側方風向板２９２を開くときは、側方風向板２９２の中央上下風向板２９１側の端部又は反対側の端部の何れか一方が他端部より大きく外方に突出する。
【０１０９】
これにより、風向を側方に偏向するときには、中央側の端部を小さく突出させ、外方の端部を大きく突出させる。また、風向を中央に集中するときには、中央側の端部を大きく突出させ、外方の端部を小さく突出させる。また、気流の抵抗を少なくするときには、中央側の端部を更に大きく突出させ、外方の端部を小さく突出させる。
【０１１０】
このように、中央側の端部を小さく突出させ、外方の端部を大きく突出させて、気流を側方風路２９６から斜め側方に吹出させる。また、中央側の端部を大きく突出させ、外方の端部を小さく突出させて、気流を側方風路２９６から中央方向に吹出させ、気流を前方中央部に集中させる。また、中央側の端部を更に大きく突出させ、外方の端部を小さく突出させて、側方風向板２９２を気流から離すことにより、気流の抵抗を少なくし、風量を増大させることができる。
【０１１１】
このため、風向を側方に向けるときも、中央に集中するときも、風量を増加させるときも、側方風向板２９２を適切な位置にして、使用者のニーズにあった適切な運転をすることができる空気調和機を得ることができる。
【０１１２】
また、本実施例では、側方風向時に、側方風向板２９２の中央上下風向板２９１側の端部が中央上下風向板２９１に接近する如く移動すると共に、該側方風向板２９２の他端部が中央上下風向板２９１側の端部より大きく外方に突出する。
【０１１３】
これにより、側方に気流を偏向するため側方風向板２９２が開いているときには、吹出し風路２９０を斜め下向き前方方向に流れてきた横流型送風ファン３１１の左右端部からの気流は左右端の風向板で確実に、側方風向板２９２に導かれる。側方風向板２９２は気流を更に横方向に偏向し、また、側方風向板２９２をより中央部に移動させることにより、より中央部の気流も捕らえ、室内機２の側方、斜め下向きに吹出す。
【０１１４】
このように、左右端の左右風向板２９５で横流型送風ファン３１１の左右端部からの気流を側方風向板２９２の方向に偏向させ、側方風向板２９２で更に横方向に変更させることにより、確実に所要の気流を側方に偏向させる。このため、横流型送風ファン３１１の左右端部からの気流をより多く側方風向板２９２で捕らえ、側方に偏向する空気調和機を得ることができる。
【０１１５】
また、本実施例では、側方風向時に、側方風向板２９２の中央上下風向板２９１側の端部が中央上下風向板２９１に接近する如く移動すると共に、該側方風向板２９２の他端部が中央上下風向板２９１側の端部より大きく外方に突出し、且つ、端部左右風向板２９５ｂを側方風向板２９２方向に傾斜させる制御装置を備えている。
【０１１６】
これにより、側方に気流を偏向するため側方風向板２９２が開いているときに、吹出し風路２９０を斜め下向き前方方向に流れてきた横流型送風ファン３１１の左右端部からの気流が左右端の左右風向板２９５に誘導されて、側方風向板２９２に導かれ、また、側方風向板２９２をより中央部に移動させることにより、より中央部の気流も捕らえ、側方風向板２９２から室内機２の側方、斜め下向きに吹出す。
【０１１７】
このように、片側端の左右風向板２９５、側方風向板２９２を連動させて開くように制御することにより所要の気流を側方風向板２９２から吹出させることができる。また、左右端の左右風向板２９５、左右の側方風向板２９２を連動させて開くように制御することにより、室内の左右方向の両側に亘る広い領域を同時に空気調和することができる。
【０１１８】
このため、横流型送風ファン３１１の左右端部からの気流を確実に側方に偏向して吹出すことができ、従来死角領域であった部分の空気調和を実現できる。また、室内を広範囲に亘って同時に空気調和することもできる空気調和機を得ることができる。
【０１１９】
また、本実施例では、側方風向時に、端部左右風向板２９５ｂが側方風向板２９２に向けて左右に風向を偏向し、側方風向時以外には、該端部左右風向板２９５ｂが正面又は中央部に向けて風向を偏向する制御装置を備える。
【０１２０】
これにより、側方に気流を偏向するため側方風向板２９２が開いているときには、吹出し風路２９０を斜め下向き前方方向に流れてきた横流型送風ファン３１１の左右端部からの気流を左右端の風向板で確実に、側方風向板２９２に導き、側方風向板２９２から室内機２の側方、斜め下向きに吹出す。
【０１２１】
このように、左右端の左右風向板２９５で横流型送風ファン３１１の左右端部からの気流を側方風向板２９２の方向に偏向させることにより、確実に所要の気流を側方風向板２９２方向に誘導し、側方に偏向させる。また、気流を前方に吹出す、又は前方、若しくは反対側に集中させるときは、左右端の左右風向板２９５を正面又は中央部に向けることにより、吹出し風路２９０での気流の圧力損失を最小にして最大風量で運転したり、気流の拡散を抑制して気流をより遠くまで到達させたりすることができる。このため、横流型送風ファン３１１の左右端部からの気流を側方風向板２９２に誘導し、側方に偏向する空気調和機を得ることができる。
【０１２２】
また、本実施例では、片側方風向時に、片側方の側方風向板２９２を側方風向の位置にすると共に、反対側の側方風向板２９２を中央風向時の位置にする制御装置を備える。
【０１２３】
これにより、片側方に風向を偏向する場合、該片側方風向板２９２を側方風向の位置にする。また、左右風向板２９５を該片側に向ける。更に、反対側の側方風向板２９２を中央集中吹出しの位置にする。これにより、吹出し風路２９０の反対側端部の左右風向板２９５による偏向ができない風路の側壁沿いの気流も反対側の側方風向板２９２によって中央方向に偏向され、横流型送風ファン３１１から吹出される気流のすべてを片側に向けることができる。このため、送風ファン３１１からの気流を効率よく片側方に吹出させる空気調和機を得ることができる。
【０１２４】
また、本実施例では、片側方風向時、反対側の側方風向板２９２を閉じる制御装置を備えている。
【０１２５】
これにより、左右いずれか一方のみに風向を向ける場合は、意図する風向の偏向に関与しない反対側の側方風向板２９２を閉じることで、この側の室内機２外観のデザインが乱されることがなくなる。このため、室内機２の外観の乱れを最小限にできる空気調和機を得ることができる。
【０１２６】
また、本実施例では、中央風向時に、側方風向板２９２の中央上下風向板２９１側の端部が他端部より大きく外方に突出すると共に、該端部が中央上下風向板２９１から離間する如く移動し、風路の側壁より中央寄りに位置する。
【０１２７】
これにより、左右端の左右風向板２９５による偏向ができない風路の側壁沿いの気流も側方風向板２９２によって中央方向に偏向され、横流型送風ファン３１１から吹出される気流のすべてを中央に向けることができる。このため、送風ファン３１１からの気流を効率よく中央に集中して吹出させる空気調和機を得ることができる。
【０１２８】
また、本実施例では、前方風向時に、側方風向板２９２の中央上下風向板２９１側の端部が他端部より大きく外方に突出すると共に、該端部が中央上下風向板２９１から離間する如く移動し、風路の側壁より外側に位置する。また、左右風向板２９５を真直ぐ前方に向ける。
【０１２９】
これにより、吹出し気流の最外側となる吹出し風路２９０の側壁沿いの気流も側方風向板２９２に衝突することなく室内に吹出され、吹出し風路２９０での通風抵抗が最小となる。このため、騒音が低くなると共に、風量が最大となり、空気調和の効率が上がり、節電になる空気調和機を得ることができる。
【０１３０】
また、本実施例では、前方風向時に、側方風向板２９２の中央上下風向板２９１側の端部が他端部より大きく外方に突出すると共に、該他端部が中央上下風向板２９１から離間する如く、中央上下風向板２９１側の端部が横流型送風ファン３１１の翼端の外方に移動する。
【０１３１】
これにより、また、左右風向板２９５を真直ぐ前方に向ける。これにより、吹出し気流の最外側となる吹出し風路２９０の側壁沿いの気流も側方風向板２９２に衝突することなく室内に吹出される。このため、吹出し風路２９０での通風抵抗が最小となる。このため、騒音が低くなると共に、風量が最大となり、空気調和の効率が上がり、節電になる空気調和機を得ることができる。
【０１３２】
また、本実施例では、中央風向時又は前方風向時に、側方風向板２９２の中央上下風向板２９１側の端部を他端部より大きく突出させると共に、中央上下風向板２９１から離間させる如く移動させる制御装置を備える。
【０１３３】
これにより、前方全般に送風する場合は両側方風向板２９２を吹出し気流の外に退避させ、左右風向板２９５を前方に真直ぐに伸ばし、吹出し風路２９０での気流の抵抗を最小にして、豊かな風量で室内全般に気流を行き渡させる。また、前方の一部に集中して送風する場合は両側方風向板２９２を吹出し気流の中で、側方風向板２９２に衝突した気流が室内機２中央部に向かうように開き、気流の中央への集中を助ける。
【０１３４】
このように、使用者のニーズに合わせて、豊かな風量での省エネ運転と、前方の一部に集中して送風する指向性運転との使い分けができる。このため、使用者のニーズに合わせて、運転の使い分けができる空気調和機を得ることができる。
【０１３５】
また、本実施例では、側方風向板２９２と横流型送風ファン３１１との間に、中央上下風向板２９１の左右端に段違いに連結された側方上下風向板２９１を設ける。
【０１３６】
これにより、側方に吹出す気流に対して上下方向の偏向も加えることができる。このため、側方の空間に対して、より快適な空気調和が可能となる空気調和機を得ることができる。側方風向板２９２を中央に向けた場合、側方風向板２９２を吹出し風路２９０から退避させた場合にも、この側方部上下風向板２９１部を通過する気流に対して、上下方向の偏向を加えることができるのは言うまでも無い。
【０１３７】
また、本実施例では、側方風向板２９２が少なくとも台枠と、台枠に取付けた迫出しモータと、迫出しモータにより台枠から迫出される迫出し台と、迫出し台に取付けた側方風向板２９２の駆動機構とから構成された側方風向板２９２開閉機構により開閉される。
【０１３８】
これにより、側方風向板２９２が室内機２の外形から突出し、室内機２の外筐に妨げられることなく、側方風向板２９２に衝突した気流を側方又は中央部に偏向し、あるいは吹出し気流の外に退避して気流を妨げない位置を取ることができる。このため、室内機２からの調和空気の吹出し角度を大きく左右に偏向でき、且つ、停止時の室内の雰囲気を乱すことがない空気調和機を得ることができる。
【０１３９】
また、本実施例では、駆動機構が、迫出し台に回動自在に固定され、迫出し台に搭載された側方風向板２９２駆動モータにより回動される内側回動アーム及び外側回動アームと、内外回動アームの先端に設けた内側アームピン及び外側アームピンと、内外アームピンに回動自在に取付けた内側レバー及び外側レバーと、内外レバー同士を回動自在に連結したレバーピンとを備え、迫出し台と共に５リンク機構を構成し、内外レバーのレバーピンに関して内外アームピンと反対側の端部に固定ピンを有すると共に、一方の固定ピンと回動可能な回動孔と、他方の固定ピンとスライド可能な案内溝とを有する側方風向板２９２に結合可能である。
【０１４０】
これにより、左右１台づつの側方風向板２９２駆動モータにより、側方風向板２９２が少なくとも側方に風向を偏向する位置、中央集中吹出しにする位置及び最大風量で吹出す位置の３位置を採ることが可能となる。
【０１４１】
すなわち、側方に風向を偏向するときには、側方風向板２９２の上下風向板２９１側の端部が該上下風向板２９１に接近する如く移動すると共に、該側方風向板２９２の他端部が該上下風向板２９１側の端部より大きく外方に突出する。
【０１４２】
また、中央集中吹出しにするときには、側方風向板２９２の上下風向板２９１側の端部が他端部より大きく外方に突出すると共に、該端部が該上下風向板２９１から離間する如く移動し、風路の側壁より内側に位置する。
【０１４３】
また、最大風量で吹出すときには、側方風向板２９２の上下風向板２９１側の端部が他端部より大きく外方に突出すると共に、該端部が該上下風向板２９１から離間する如く移動し、風路の側壁より外側に位置する。
【０１４４】
このため、室内機２からの調和空気の吹出し角度を大きく左右に偏向でき、且つ、停止時の室内の雰囲気を乱すことがない空気調和機を得ることができる。
【図面の簡単な説明】
【０１４５】
【図１】本発明の一実施例の空気調和機の構成を示す斜視図。
【図２】図１の室内機の内部構成を示す配置図。
【図３】図１のＡ−Ａ断面図。
【図４】図３の室内機の空気吹出し部拡大図。
【図５】図４における側方風向板迫出し時を示す図。
【図６】図４における側方風向板開閉機構の台枠説明図。
【図７】本実施例の側方風向板開閉機構の収納時における説明図。
【図８】本実施例の側方吹出し口閉鎖時の風向板状態図。
【図９】本実施例の外側側方吹出し口開放時の風向板状態図。
【図１０】本実施例の内側側方吹出し口開放時及び退避時の風向板状態図。
【図１１】本実施例の片側方風向時の風向板状態図。
【図１２】本実施例の側方風向板開閉機構の迫出し時の説明図。
【図１３】本実施例の側方風向板開閉機構の側方向け傾斜動作時の説明図。
【図１４】本実施例の側方風向板開閉機構の側方向け風向時の説明図。
【図１５】本実施例の側方風向板開閉機構の中央向け傾斜動作時の説明図。
【図１６】本実施例の側方風向板開閉機構の中央向け風向時の説明図。
【図１７】本実施例の側方風向板開閉機構の気流外退避動作時の説明図。
【図１８】本実施例の側方風向板開閉機構の気流外退避時の説明図。
【図１９】本実施例の側方風向板開閉機構リンク部の側方風向時の模式図。
【図２０】本実施例の側方風向板開閉機構リンク部の中央集中風向時の模式図。
【図２１】本実施例の側方風向板開閉機構リンク部の気流外退避時の模式図。
【符号の説明】
【０１４６】
１…空気調和機、２…室内機、５…リモコン、６…室外機、８…接続配管、１０…制御装置、２１…筐体、２３…化粧枠、２５…前面パネル、２７…吸込み口、２９…吹出し口、３１…室内送風機、３２…換気装置、３３…熱交換器、３５…露受皿、３７…ドレン配管、３９…換気風路、２３１…プレフィルター、２３０ａ…上側空気吸込み部、２３０ｂ…前側空気吸込み部、２５１…可動パネル、２６０…側方風向板開閉機構、２６１…台枠、２６１ａ…支持台、２６１ｂ…台座、２６１ｃ…迫出しガイド、２６５…迫出しモータ、２６５ａ…迫出しギアーＡ、２６５ｂ、ｂ’…迫出しギアーＢ、Ｂ’、２６５ｃ、ｃ’…迫出しギアーＣ、Ｃ’、２６６…連結棒、２７０…側方風向板駆動機構、２７１…迫出し台、２７１ａ、２７１ａ’…迫出しラック、２７１ｂ…迫出しガイドピン、２７４…駆動モータ、２７４ａ…駆動ギアー、２７６…内側回動ギアー（アーム）、２７６ａ…内側ピン、２７６ｂ…回動軸、２７８…外側回動ギアー（アーム）、２７８ａ…外側ピン、２７８ｂ…回動軸、２８１…内側レバー、２８２…スライドピン、２８３…外側レバー、２８４…固定ピン、２８５…レバーピン、２９０…吹出し風路、２９０ａ…吹出し風路上壁、２９０ｂ…吹出し風路下壁、２９０ｃ…吹出し風路側壁、２９１…上下風向板、２９１ａ…主上下風向板、２９１ａ’…側方部上下風向板、２９１ｂ…副上下風向板、２９２…側方風向板、２９２ａ…スライド溝、２９２ｂ…回動孔、２９２ｃ…前側案内板、２９２ｄ…下側案内板、２９３…側方吹出し口、２９３ａ…内側側方吹出し口、２９３ｂ…外側側方吹出し口、２９５…左右風向板、２９５ａ…中央左右風向板、２９５ｂ…端部左右風向板、２９６…側方風路、３１１…送風ファン、３１３…送風モータ、３１１ａ…翼端、３９６…受光部、３９７…表示部。
【図１】
2008157508.tif 000003
【図２】
2008157508.tif 000004
【図３】
2008157508.tif 000005
【図４】
2008157508.tif 000006
【図５】
2008157508.tif 000007
【図６】
2008157508.tif 000008
【図７】
2008157508.tif 000009
【図８】
2008157508.tif 000010
【図９】
2008157508.tif 000011
【図１０】
2008157508.tif 000012
【図１１】
2008157508.tif 000013
【図１２】
2008157508.tif 000014
【図１３】
2008157508.tif 000015
【図１４】
2008157508.tif 000016
【図１５】
2008157508.tif 000017
【図１６】
2008157508.tif 000018
【図１７】
2008157508.tif 000019
【図１８】
2008157508.tif 000020
【図１９】
2008157508.tif 000021
【図２０】
2008157508.tif 000022
【図２１】
2008157508.tif 000023